(57)【特許請求の範囲】
【請求項１】
合体される第１，第２のブロックのうちの第１のブロックから引き出されたフレキシブル基板の端部を、第２のブロックに取り付けられたコネクタに接続するフレキシブル基板接続装置であって、
第１のブロックにおける、第２のブロックの前記コネクタ位置に対応する位置に、フレキシブル基板の前記端部を保持するホルダーを、
第１のブロックと第２のブロックとの合体に際しては、第１のブロックに取り付けられたホルダーが、第２のブロックに取り付けられたコネクタに接続されるように構成するとともに、第１のブロックと第２のブロックとの合体を解除すると、第１のブロックからホルダーが外れて、外れたホルダーがコネクタに嵌合したままの状態になって第２のブロックの側に残されるように、着脱自在に設けた
フレキシブル基板接続装置。
【請求項２】
ホルダーに、第１のブロックに係合する爪が形成された薄肉アームを弾性変形可能に設け、
前記爪に、第１のブロックに取り付けられる際に当接して薄肉アームを弾性変形させる傾斜面と、第１のブロックから離脱する際に当接して薄肉アームを弾性変形させる傾斜面とを形成した
請求項１記載のフレキシブル基板接続装置。
【発明の詳細な説明】
【０００１】
【発明の属する技術分野】
本発明は、例えばポータブルＣＤプレーヤなどの機器において、蓋ブロックと本体ブロックとを電気的に接続するフレキシブル基板接続装置に関するものである。
【０００２】
【従来の技術】
一般に、蓋ブロックに液晶表示器や電気的操作部を持つポータブルＣＤプレーヤにおいては、蓋ブロックと本体ブロックとの電気的な接続に、フレキシブル基板（一般的にはＦＰＣ、ＦＦＣ等）が用いられている場合が多い。
【０００３】
図７に示す蓋ブロック１と本体ブロック２との合体時においては、本体ブロック２のメイン基板３に取り付けられたコネクタ４に、蓋ブロック１にあらかじめ接続されたフレキシブル基板５の端部の接続部５ａを手で掴んで挿入する作業を実施して組み立てられている。
【０００４】
【発明が解決しようとする課題】
しかしながら、このようなフレキシブル基板の接続を必要とする組立作業では、コネクタ４にフレキシブル基板５を接続する工程を実施してからでないと蓋ブロック１を本体ブロック２へ合体させることができないという問題点を有していた。
【０００５】
本発明は、蓋ブロック１を本体ブロック２へ合体させることにより、フレキシブル基板５を自動的にコネクタ４へ接続できる構造を持つフレキシブル基板接続装置を提供することを目的とする。
【０００６】
【課題を解決するための手段】
本発明のフレキシブル基板接続装置は、合体される第１，第２のブロックのうちの第１のブロックから引き出されたフレキシブル基板の端部を、第２のブロックに取り付けられたコネクタに接続するフレキシブル基板接続装置であって、第１のブロックにおける、第２のブロックの前記コネクタ位置に対応する位置に、フレキシブル基板の前記端部を保持するホルダーを、第１のブロックと第２のブロックとの合体に際しては、第１のブロックに取り付けられたホルダーが、第２のブロックに取り付けられたコネクタに接続されるように構成するとともに、第１のブロックと第２のブロックとの合体を解除すると、第１のブロックからホルダーが外れて、外れたホルダーがコネクタに嵌合したままの状態になって第２のブロックの側に残されるように、着脱自在に設けたことを特徴とする。
【０００７】
この本発明によると、第１のブロックと第２のブロックとを合体する作業の実施によって、これと同時にフレキシブル基板の接続部が第２のブロックのコネクタへ自動的に接続される。
【０００８】
【発明の実施の形態】
請求項１記載のフレキシブル基板接続装置は、合体される第１，第２のブロックのうちの第１のブロックから引き出されたフレキシブル基板の端部を、第２のブロックに取り付けられたコネクタに接続するフレキシブル基板接続装置であって、第１のブロックにおける、第２のブロックの前記コネクタ位置に対応する位置に、フレキシブル基板の前記端部を保持するホルダーを、第１のブロックと第２のブロックとの合体に際しては、第１のブロックに取り付けられたホルダーが、第２のブロックに取り付けられたコネクタに接続されるように構成するとともに、第１のブロックと第２のブロックとの合体を解除すると、第１のブロックからホルダーが外れて、外れたホルダーがコネクタに嵌合したままの状態になって第２のブロックの側に残されるように、着脱自在に設けたことを特徴とする。
【０００９】
請求項２記載のフレキシブル基板接続装置は、請求項１において、ホルダーに、第１のブロックに係合する爪が形成された薄肉アームを弾性変形可能に設け、前記爪に、第１のブロックに取り付けられる際に当接して薄肉アームを弾性変形させる傾斜面と、第１のブロックから離脱する際に当接して薄肉アームを弾性変形させる傾斜面とを形成したことを特徴とする。
【００１０】
以下、本発明の実施の形態を図１〜図６に基づいて説明する。
なお、従来例を示す図７と同様の作用をなすものには同一の符号を付けて説明する。
【００１１】
図１〜図６は本発明のフレキシブル基板接続装置を採用したポータブルＣＤプレーヤを示す。
図１は、第１のブロックである蓋ブロック１と第２のブロックである本体ブロック２とを合体する前の状態を示し、図２は合体後の状態を示している。
【００１２】
図１において、蓋ブロック１は中間キャビネット１ａとこの中間キャビネット１ａに回動自在に後端１ｂが枢支された蓋体１ｃとで構成されており、蓋体１ｃには液晶表示器や電気的操作部が実装されたサブ基板６が設けられている。
【００１３】
本体ブロック２は、底キャビネット２ａにメイン基板３を取り付けて構成されており、メイン基板３にはサブ基板６との接続用にコネクタ４が設けられている。
【００１４】
さらに、中間キャビネット１ａにはコネクタ４に対応する位置にホルダー７が着脱自在に取り付けられている。
このホルダー７の着脱自在な取り付け構造は、図３と図４に示すように構成されている。
【００１５】
中間キャビネット１ａの前記ホルダー７の取り付け位置には、取り付け孔８が形成されており、この取り付け孔８には係合段部８ａ，８ｂが形成されている。一方、この取り付け孔８に中間キャビネット１ａの下面Ｕからセットされるホルダー７には、中間キャビネット１ａの下面Ｕに当接する鍔部７ａと、サブ基板６から引き出されたフレキシブル基板５の端部の接続部５ａを保持する端部保持部７ｂと、端部保持部７ｂの外側に基端が接続され先端に前記取り付け孔８の係合段部８ａ，８ｂに係合する爪９ａ，９ｂが形成された薄肉アーム７ｃ，７ｄとが形成されている。
【００１６】
爪９ａ，９ｂの形状は、中間キャビネット１ａの下面Ｕからホルダー７が取り付け孔８に挿入される際に、係合段部８ａ，８ｂの下面に当接して薄肉アーム７ｃ，７ｄが弾性変形する方向の力Ｆが発生するように上面が傾斜面１０で形成されている。
【００１７】
このように構成したため、次のような手順で組み立てられる。
蓋ブロック１と本体ブロック２との合体に際しては、先ず、フレキシブル基板５の接続部５ａをホルダー７の端部保持部７ｂにセットする。次いで、フレキシブル基板５のセットされたホルダー７を中間キャビネット１ａの下面Ｕから取り付け孔８に挿入する。
【００１８】
このホルダー７の挿入操作によって、薄肉アーム７ｃ，７ｄが基端を支点として弾性変形し、ホルダー７の爪９ａ，９ｂが中間キャビネット１ａの係合段部８ａ，８ｂを通過すると薄肉アーム７ｃ，７ｄが自己の弾性力で元の位置に復帰して図４に示す取り付け状態が得られる。
【００１９】
なお、中間キャビネット１ａの取り付け孔８の幅はホルダー７の幅よりも大きく、図５に示すように隙間１１が形成され、また、係合段部８ａ，８ｂと薄肉アーム７ｃ，７ｄとの間に隙間１２が形成されているため、ホルダー７は中間キャビネット１ａに対して水平面内において可動の余裕を持って取り付けられている。これは、ホルダー７の取り付け孔８は、コネクタ４の外形に対し全周で僅かに大きく設定されていると云うこともできる。
【００２０】
このようにホルダー７が取り付けられた蓋ブロック１と本体ブロック２とを合体させようとすると、同時に図５に示すホルダー７の開口部１３がコネクタ４の外形１４に対して嵌合する。
【００２１】
合体の開始時にはホルダー７がコネクタ４のほぼ真上に位置するようにしておく。さらに合体の動作を続けると、フレキシブル基板５の接続部５ａはホルダー７に押されてコネクタ４に挿入されて接続される。同時に、中間キャビネット１ａと底キャビネット２ａの相互間が嵌合爪などの図示されていない手段で結合されて合体が完了する。
【００２２】
このとき、メイン基板３に対するコネクタ４の取付ズレや、中間キャビネット１ａと底キャビネット２ａとの合体作業の途中の位置ズレ等は、ホルダー７と中間キャビネット１ａとの水平方向の可動余裕により吸収される。
【００２３】
このように、蓋ブロック１を本体ブロック２へ合体させると同時にフレキシブル基板５の接続部５ａがメイン基板３に取り付けられたコネクタ４へ自動的に接続でき、組み立て工程を合理化できる。
【００２４】
さらに、この構成はメンテナンス性も良好であって、上記のようにして組み立てられたＣＤプレーヤのメイン基板３の修理や点検動作を実施する際に、蓋ブロック１と本体ブロック２との合体を解除すると、図６に示すように中間キャビネット１ａからホルダー７が外れて、外れたホルダー７がコネクタ４に嵌合したままの状態になって本体ブロック２の側に残される。
【００２５】
したがって、蓋ブロック１と本体ブロック２との合体に際してホルダー７によってフレキシブル基板５の接続部５ａを中間キャビネット１ａに取り付けたにもかかわらず、分解するときにはホルダー７が中間キャビネット１ａから外れるので、僅かの力で分解することができる。
【００２６】
なお、これを実現している具体的な構造は、ホルダー７の爪９ａ，９ｂの下側の傾斜面１５と前記中間キャビネット１ａの係合段部８ａ，８ｂとの当接と、ホルダー７の薄肉アーム７ｃ，７ｄの弾性変形との作用による。
【００２７】
【発明の効果】
以上のように本発明のフレキシブル基板接続装置によれば、合体される第１，第２のブロックのうちの第１のブロックから引き出されたフレキシブル基板の端部を、第２のブロックに取り付けられたコネクタに接続するフレキシブル基板接続装置であって、第１のブロックにおける、第２のブロックの前記コネクタ位置に対応する位置に、フレキシブル基板の前記端部を保持するホルダーを、第１のブロックと第２のブロックとの合体に際しては、第１のブロックに取り付けられたホルダーが、第２のブロックに取り付けられたコネクタに接続されるように構成するとともに、第１のブロックと第２のブロックとの合体を解除すると、第１のブロックからホルダーが外れて、外れたホルダーがコネクタに嵌合したままの状態になって第２のブロックの側に残されるように、着脱自在に設けたので、第１のブロックと第２のブロックとの合体によって、フレキシブル基板の接続部とコネクタが自動的に接続することができる。
【図面の簡単な説明】
【図１】本発明のフレキシブル基板接続装置を採用したＣＤプレーヤの蓋ブロックと本体ブロックとを合体する前の縦断面図
【図２】同実施の形態の合体後の縦断面図
【図３】同実施の形態の合体前の要部の斜視図
【図４】同実施の形態の合体前の要部の横断面図
【図５】同実施の形態の合体前の要部の縦断面図
【図６】同実施の形態のＣＤプレーヤを合体後に分解した状態の縦断面図
【図７】従来のＣＤプレーヤの蓋ブロックと本体ブロックとを合体する前の縦断面図
【符号の説明】
１    蓋ブロック〔第１のブロック〕
１ａ    中間キャビネット
１ｃ    蓋体
２    本体ブロック〔第２のブロック〕
２ａ    底キャビネット
３    メイン基板
４    コネクタ
５    フレキシブル基板
５ａ    フレキシブル基板の接続部
６    サブ基板
７    ホルダー
７ａ    ホルダー７の鍔部
７ｂ    ホルダー７の端部保持部
７ｃ，７ｄ    ホルダー７の薄肉アーム
８    中間キャビネット１ａの取り付け孔
８ａ，８ｂ    取り付け孔８の係合段部
Ｕ    中間キャビネット１ａの下面
９ａ，９ｂ    薄肉アーム７ｃ，７ｄの先端の爪
１０    爪９ａ，９ｂの上側の傾斜面
１２    係合段部と薄肉アームとの間の隙間
１５    爪９ａ，９ｂの下側の傾斜面
【図１】
0003739197.tif 000002
【図２】
0003739197.tif 000003
【図３】
0003739197.tif 000004
【図４】
0003739197.tif 000005
【図５】
0003739197.tif 000006
【図６】
0003739197.tif 000007
【図７】
0003739197.tif 000008